(57)【特許請求の範囲】
【請求項１】
軸Ａを有し、雄の部材（２２）と雌の部材（２４）から成る工具の継ぎ手（２０）であって、
該雄の部材が、
軸Ｂを有し、かつ、
雄のボディ部分（２６）と、
雄のボディ部分から後方に突き出している雄の連結部分（２８）であって、雄のボディ部分に隣接したねじ無し前部（３６）と後端（３９）で終わる後方ねじ部分（３８）とを有する雄の連結部分（２８）と、
雄の連結部分の前部に隣接した前端部分（４１）で、また、雄の連結部分の後部の後端に隣接した後端部分（４３）で終わるねじ（４６）を有し、そのねじが前端部分と後端部分（４１，４３）の間に均一深さを持つ中間部分（４５）を有する雄の連結部分のねじ部分と、
ねじの均一深さに等しい深さからゼロの深さまで徐々に減少していく深さの変化を有するねじの谷底（４８）である雄の連結部分のねじの前端部分（４１）と、
ねじの均一深さに等しい高さからゼロの高さまで徐々に減少していく高さの変化を有するねじ山（５０）である雄の連結部分のねじの後端部分（４３）とを備えていること、
該雌の部材２４が、
軸Ｃを有し、かつ、
雌のボディ部分（６１）と、
雄の連結部分を受入れるための穴（６４）を含む雌の連結部分（５９）であって、その穴が雌の部材の前面（６０）から雌のボディ部分に向かって後方に伸びており、その穴が前面に隣接したねじ無し前部（６６）を有しており、後方ねじ部分（６８）が雌のボディ部分に隣接して終わっている雌の連結部分（５９）と、
雌の連結部分のねじ無し前部に隣接した前端部分（６３）で、また、雌のボディ部分に隣接した後端部分（６５）で終わるねじ（７２）を有している雌の連結部分のねじ部分であって、その雌の連結部分のねじが前端部分と後端部分の間に中間部分（６７）を有し、その雌の連結部分のねじが均一深さと等しい深さを有する雌の連結部分のねじ部分と、
均一深さに等しい高さからゼロの高さまで徐々に減少していく高さの変化を有するねじ山（７４）である雌の連結部分のねじの前端部分（６３）と、
ねじの均一深さに等しい深さからゼロの深さまで減少していく深さの変化を有するねじの谷底（７６）である雌の連結部分のねじの後端部分（６５）とを備えていること、
工具の継ぎ手の結合を形成するために、雄の部材と雌の部材をねじ連結する際、雄の部材のねじ部分（３８）が雌の部材のねじ部分（６８）に係合すること、
雄の連結部分のねじの前端部分（４１）と雌の連結部分のねじの前端部分（６３）がそれらの間で第一の角度（θ２）のギャップ（９４）を有していること、
雄の連結部分のねじの後端部分（４３）と雌の連結部分のねじの後端部分（６５）がそれらの間で第二の角度（θ３）のギャップ（９５）を有していることを特徴とする工具の継ぎ手であって、
雄のボディ部分が、雄の連結部材のねじ無し前部に隣接した後ろ向きの環状ショルダー（３２）から成り、かつ、雌の部材の前面（６０）が前向きの環状ショルダーであり、かつ、ここで、工具の継ぎ手の結合を形成するために雄の部材と雌の部材をねじ連結する際に、雄のボディ部分の環状ショルダーが雌のボディ部分の環状ショルダーに接し、
雄の連結部分のねじ無し前部（３６）が切頭円錐形で、雄の連結部分の後方ねじ部分に向かって後方に先細になっていて、かつ、雌の連結部分の穴のねじ無し前部（６６）が切頭円錐形であり、雌のボディ部分に向かって後方の先細になっていて、かつ、この状態で、工具の継ぎ手の結合を形成するために雄の部材と雌の部材をねじ連結する際に、雄の連結部分のねじ無し前部が雌の連結部分のねじ無し前部に接し、
雄のボディ部分の環状ショルダーと雌のボディ部分の環状ショルダーが研磨されており、
雄の連結部分のねじ無し前部と雌の連結部分のねじ無し部分が研磨されており、
雄の連結部分のねじ無し前部が雄の部材の軸Ｂに対して角度α１の傾斜をしていて、雌の連結部分のねじ無し前部が雌の部材の軸Ｃに対して角度α２の傾斜をしており、ここで角度α１が角度α２に等しい、
上記工具の継ぎ手。
【請求項２】
第一の角度が２０°から９０°の範囲であることを特徴とする請求項１に基づく工具の継ぎ手。
【請求項３】
第一の角度が７０°であることを特徴とする請求項２に基づく工具の継ぎ手。
【請求項４】
第二の角度が２０°から９０°の範囲であることを特徴とする請求項１に基づく工具の継ぎ手。
【請求項５】
第二の角度が７０°であることを特徴とする請求項４に基づく工具の継ぎ手。
【請求項６】
雄のねじ部分の前端部分（４１）、雄のねじ部分の後端部分（４３）、雌のねじ部分の前端部分（６３）および雌のねじ部分の後端部分（６５）のそれぞれが５°から３０°の範囲の角度を有していることを特徴とする請求項１に基づく工具の継ぎ手。
【請求項７】
雄のねじ部分の前端部分（４１）、雄のねじ部分の後端部分（４３）、雌のねじ部分の前端部分（６３）および雌のねじ部分の後端部分（６５）のそれぞれが１５°の角度を有していることを特徴とする請求項６に基づく工具の継ぎ手。
【請求項８】
雄の部材が超硬合金製で、雌の部材が鋼製であることを特徴とする請求項１に基づく工具の継ぎ手。
【請求項９】
雄の部材と雌の部材をねじ連結する際に、雄のボディ部分の環状ショルダーが雌のボディ部分の環状ショルダーに接触する前に、雄の連結部材のねじ無し前部が雌の連結部材のねじ無し前部に接触することを特徴とする請求項１に基づく工具の継ぎ手。
【請求項１０】
雄の連結部分のねじ無し前部が雌の連結部分のねじ無し部分に最初の接触をするとき、雄のボディ部分の環状ショルダーが、雌のボディ部分の環状ショルダーから距離Ｌだけ離れていることを特徴とする請求項９に基づく工具の継ぎ手。
【請求項１１】
距離Ｌが０．１ｍｍから０．６ｍｍの範囲にあることを特徴とする請求項１０に基づく工具の継ぎ手。
【請求項１２】
距離Ｌが０．３ｍｍであることを特徴とする請求項１１に基づく工具の継ぎ手。
【請求項１３】
雄のボディ部分の環状ショルダーと雌のボディ部分の環状ショルダーが軸Ａに垂直なことを特徴とする請求項１に基づく工具の継ぎ手。
【請求項１４】
雄の部材のねじ部分が研磨されていることを特徴とする請求項１に基づく工具の継ぎ手。
【請求項１５】
角度α１およびα２が２．５°から３．５°の範囲であることを特徴とする請求項１９に基づく工具の継ぎ手。
【請求項１６】
角度α１およびα２が３°であることを特徴とする請求項１５に基づく工具の継ぎ手。
【請求項１７】
角度α１は角度α２より０．２５°だけ大きいことを特徴とする請求項１に基づく工具の継ぎ手。
【請求項１８】
雄の部材のねじ部分と雌の部材のねじ部分が一条ねじであることを特徴とする請求項１に基づく工具の継ぎ手。
【発明の詳細な説明】
【０００１】
［産業上の利用分野］
本発明は特に単一工具ホルダー用の種々のヘッドを用いる切削工具アセンブリーで用いるための、ねじ連結を用いた工具の継ぎ手に関する。
【０００２】
［従来技術及びその課題］
ねじ連結を用いた雄および雌の部材による工具の継ぎ手は当該分野では公知である。そのような雄の部材は通常雌の部材の対応する内ねじ部分に合う外ねじ部分を含んでいる。そのような工具の継ぎ手の連結機構の例は米国特許第5,114,286号に開示されている。'286号に示されているように、雄カプラー（１１）は、雌カプラー（１３）と軸方向に位置合わせされている。雄カプラー（１１）は、雌カプラー（１３）の対応するヘリカルの雌ねじ（２３）に合うサイズと形状のヘリカルの雄ねじ（２１）を有している。示されている種類の連結機構の欠点は図１に概略的に示されている（および'286号の図１および５に明確に示されている）。雄の部材１２のねじ山１４の前端の前に狭いネック部分１６が形成されて、雄の部材の前端を弱くするという事実がある。ここで、「狭いネック部分」の用語はねじの谷径に等しい直径を有する雄の部材の部分を言う。
【０００３】
そのような工具の継ぎ手に伴う他の問題は、ねじ山の最前端、および、ねじ山最後端も不完全で、その解放端に狭い不完全ねじ部を有しているという事実に関連している。このことは、例えば、Reynoldsによる米国特許第1,407,335号の図２に明確に示されている。そのような狭い端部は、雄と雌の部材の間で軸方向荷重を伝えるには弱すぎる。
【０００４】
その問題に対する解決策が、Rathによる米国第4,735,537号で開示されていて、これは狭いネック部分を減らす方法を示している。'537号の雄の部材のねじ部分で、ねじの内端部分が、ほぼ終点まで完全な寸法を有している。これにより、移行部分を短くできる。
【０００５】
本発明の目的は、おす部材とねじ部材のねじを合わせる工具の継ぎ手で、雄の部材と雌の部材の両方のねじが通常の不完全ねじ部を持たず、それにより工具の継ぎ手を短く、強くすることである。
【０００６】
【課題を解決するための手段】
本発明に基づいて、軸Aを有し、かつ、雄の部材とめす部材から成る工具の継ぎ手を提供している。
【０００７】
雄の部材が軸Bを有し、かつ、
雄のボディ部分、および、
雄の連結部分が雄のボディ部分から後方に突き出していて、雄の連結部分が雄のボディ部分に隣接したねじ無し前部と後端で終わる後方ねじ部分を有すること、
雄の連結部分のねじ部分が、雄の連結部分の前部に隣接した前端部分で、また、雄の連結部分の後部の後端に隣接した後端部分で終わるねじを有していて、そのねじが前端部分と後端部分の間に均一深さを持つ中間部分を有すること、
雄の連結部分のねじの前端部分が、ねじの均一深さに等しい深さからゼロの深さまで徐々に減少していく深さの変化を有するねじの谷底であること、
雄の連結部分のねじの後端部分が、ねじの均一深さに等しい高さからゼロの高さまで徐々に減少していく高さの変化を有するねじ山であること、
から成っていること、
雌の部材が軸Cを有し、かつ、
雌のボディ部分、および、
雌の連結部分が雄の連結部分を受入れるための穴を含み、その穴が雌の部材の前面から雌のボディ部分に向かって後方に伸びていて、その穴が前面に隣接したねじ無し前部を有しいること、かつ、後方ねじ部分が雌のボディ部分に隣接して終わっていること、
雌の連結部分のねじ部分が、雌の連結部分のねじ無し前部に隣接した前端部分で、また、雌のボディ部分に隣接した後端部分で終わるねじを有していて、その雌の連結部分のねじが前端部分と後端部分の間に中間部分を有し、その雌の連結部分のねじが均一深さと等しい深さを有すること、
雌の連結部分のねじの前端部分が、均一深さに等しい高さからゼロの高さまで徐々に減少していく高さの変化を有するねじ山であること、
雌の連結部分のねじの後端部分が、ねじの均一深さに等しい深さからゼロの深さまで減少していく深さの変化を有するねじの谷底であること、
から成っていること、
この場合、工具の継ぎ手の結合を形成するために、雄の部材と雌の部材をねじ連結する際、雄の部材のねじ部分が雌の部材のねじ部分に係合する。
【０００８】
雄の連結部分のねじの前端部分と雌の連結部分のねじの前端部分がそれらの間で第一の角度のギャップを有している。
【０００９】
雄の連結部分のねじの後端部分と雌の連結部分のねじの後端部分がそれらの間で第二の角度のギャップを有している。
【００１０】
本発明の好ましい実施例に基づくと、さらに、雄のボディ部分は雄の連結部材のねじ無し前部に隣接した後ろ向きの環状ショルダーから成っている。また、雌の部材の前面は前向きの環状ショルダーである。
【００１１】
この場合、工具の継ぎ手結合を形成するために、雄の部材と雌の部材をねじ連結する際、雄のボディ部分の環状ショルダーが雌のボディ部分の環状ショルダーに接する。
【００１２】
さらに、本発明の好ましい実施例に基づくと、雄の連結部分のねじ無し前部が切頭円錐形で、雄の連結部分の後方ねじ部分に向かって後方に先細になっている。また、雌の連結部分の穴のねじ無し前部が切頭円錐形で、雌のボディ部分に向かって後方に先細になっている。そして、
この場合、工具の継ぎ手結合を形成するために、雄の部材と雌の部材をねじ連結する際、雄の連結部分のねじ無し前部が雌の連結部分のねじ無し前部に接する。典型的には、第一の角度は２０°から９０°の範囲である。
【００１３】
好ましくは、第一の角度は７０°である。
【００１４】
典型的には、第二の角度は２０°から９０°の範囲である。
【００１５】
好ましくは、第二の角度は７０°である。
【００１６】
本発明に基づくと、雄および雌のねじ部分それぞれの前端部分と後端部分が５°から３０°の範囲の角度を有している。
【００１７】
好ましくは、雄と雌のねじ部分それぞれの前端部分と後端部分が１５°の角度を有している。
【００１８】
典型的には、雄の部材は超硬合金製で、雌の部材は鋼製である。
【００１９】
本発明に基づくと、雄の部材と雌の部材をねじ連結する際、雄のボディ部分の環状ショルダーが雌のボディ部分の環状ショルダーに接する前に、雄の連結部分のねじ無し前部が雌の連結部分のねじ無し前部に接する。
【００２０】
好ましくは、雄の連結部分のねじ無し前部が雌の連結部分のねじ無し前部と最初の接触をしたとき、雄のボディ部分の環状ショルダーは雌のボディ部分の環状ショルダーから距離Lだけ離れている。
【００２１】
典型的に、距離Lは０．１から０．６ｍｍの範囲である。
【００２２】
本発明の好ましい実施例に基づくと、距離Ｌは０．３ｍｍである。
【００２３】
本発明の好ましい実施例に基づくと、雄のボディ部分の環状ショルダーと雌のボディ部分の環状ショルダーは軸Ａに垂直である。
【００２４】
典型的に、雄のボディ部分の環状ショルダーと雌のボディ部分の環状ショルダーは研磨されている。
【００２５】
さらに典型的に、雄の連結部分のねじ無し前部と雌の連結部分のねじ無し前部は研磨されている。
【００２６】
さらに典型的に、雄の部材のねじ部分が研磨されている。
【００２７】
好ましくは、雄の連結部分のねじ無し前部が軸Ｂに対して角度α１で傾斜している。雌の連結部分のねじ無し前部が軸Ｃに対して角度α２で傾斜している。角度α１は角度α２に等しい。
【００２８】
典型的に、角度α１とα２は２．５°から３．５°の範囲である。
【００２９】
さらに典型的に、角度α１およびα２は３°である。
【００３０】
選択肢として、角度α１は角度α２より０．２５°だけ大きい。
【００３１】
好ましい実施例に基づくと、雄の部材のねじ部分および雌のねじ部分は一条ねじである。
本発明を良く理解するために、また、本発明を実際に実施する方法を示すために、ここで添付図面を参照する。
【００３２】
【実施例】
図２から１１までを注目すると、示されているように、縦軸Aを有する工具の継ぎ手２０は雄の部材２２と雌の部材２４から成っている。本発明の特定用途に基づくと、工具の継ぎ手２０は切削工具アセンブリーを構成し、その雄の部材２２が超硬合金から作られて、切削ヘッドになり、雌の部材２４は工具鋼で作られ、保持シャンクになる。
【００３３】
雄の部材２２は縦軸B、ボディ部分２６、および、ボディ部分２６の後端３０から後方に突出した連結部分２８を有している。ボディ部分２６の構造は、本発明の必須機能ではなく、任意の希望形状にできるので、説明しない。ボディ部分２６の後端３０は後ろ向きの環状ショルダー面３２を含む。後ろ向きの環状ショルダー３２は軸B周りの回転対称で、その軸に垂直である。
【００３４】
連結部分２８は、雄のボディ部分２６に隣接したねじ無し前部３６、および、後端３９で終わる後方ねじ部分３８を有している。雄の連結部分のねじ無し前部３６は、後方ねじ部３８に向かって後方に先細になっていて、軸Bに対して角度α１で傾斜している切頭円錐面４０から成っている。典型的に角度α１は２．５°から３．５°の範囲に入っている。本発明の好ましい実施例に基づくと、角度α１は３°である。
【００３５】
連結部分２８の後方ねじ部分３８はねじ４６を有し、そのねじは雄の連結部分２８の前部３６に隣接した前端部分４１で、また、雄の連結部分２８の後部３８の後端３９に隣接した後端部分４３で終わる。ねじ４６は前端部分４１と後端部分４３の間で均一深さの中間部分４５を有している。同様に、中間部分４５はその均一深さに等しく、ねじの山から谷底まで半径方向の差として定義される均一深さｈを有している。ねじ４６は軸Bに垂直な面に対して測定したリード角αを有している。典型的には、リード角は４°から５°の範囲である。ねじ４６は台形断面で、エッジを丸くしている。雄の連結部分２８の前部３６に隣接した狭いネック部分と、それにより雄の部材２２が弱くなるのとを避けるために、ねじ４６の前端部分４１は、図４および図５に特によく示しているように、ねじの均一深さに等しい深さからゼロの深さまで徐々に減少していく深さの変化を有するねじの谷底４８である。同様に、ねじ４６の後端部分４３はねじの均一深さに等しい高さからゼロの高さまで徐々に減少していく高さの変化を有するねじ山５０である。
【００３６】
本発明に伴う別のねじ特性はねじの厚みTである。ここで、ねじの厚みTとは軸Bに対して角度αになる直線に沿って測定したねじ山の最大厚みとして定義されている。
【００３７】
図１０は雄のボディ８０上の従来技術のねじを示す。ねじの厚みは、ねじが雄のボディ８０の後端８２に達するポイントP１まで一定である。Ｐ１として定義されたポイントからポイントＰ２でゼロになるまでねじの厚みＴが徐々に減少する。ポイントＰ１とＰ２の間のねじの部分８８はその主要部分に沿って高さｈを有しているが、有効ねじ部と見なすことはできない。それは不完全ねじなので、完全なねじなら可能な荷重を適切に伝達できない。通常、部分８８はねじの端面を見た図で見られるような角度θ（図示せず）を有していて、通常用いられるリード角の場合、１２０°から２７０°の範囲になっている。「有効ねじ」「不完全ねじ」「完全ねじ」の用語に関しては、"Machinery's Handbook 25 twenty fifth edition", 1996, Industrial Press Inc., New York, pp. 1631-1634を参照している。
【００３８】
部分８８は完全ねじになっている他の部分と同様には荷重を伝達できない、それ故、不必要だという事実にもかかわらず、その主要部分に沿って依然として高さｈになっている。このことは、雄のボディ８０が対応する雌のボディ（図示せず）の中に係合したとき、部分８８を受けるために正しい雌ねじを残さなければならないことを意味する。そのような荷重を伝えない雌ねじも不必要であり、雌のボディを弱くする。
【００３９】
上記の欠点を克服するために、本発明に基づくねじは図１１に示すように、部分８８を無くして作られている。ねじ山５０の上のポイントＰ１から中間部分９２を経由して、ポイントＰ３までねじが徐々に低くなっている。ポイント９０の軸Ｂからの距離は谷底４８と同じである。通常、中間部分９２は３０°未満の角度θ１を有し、典型的には１５°の値を有している。本発明の好ましい実施例に基づき、雄の部材は超硬合金で作られ、ねじは研磨により製作される。中間部分９２の角度θ１は用いる砥石の半径により決定される。
【００４０】
上記の原則は、行うべき各変更と共に、本発明の雄と雌の部材で、ねじの両端に適用される。
【００４１】
本発明の好ましい実施例に基づくと、後ろ向きの環状ショルダー３２、切頭円錐面４０、および、ねじ４６が研磨されている。
【００４２】
雌の部材２４は縦軸Ｃ、円周側面５８、および、円周側面５８に接続した前面６０を有し、前面６０はリング状で軸方向を向いていて、軸Ｃの周りに回転対称で、それに垂直な合わせ面６２である。
【００４３】
穴６４は前面６０から後方に伸びている。穴６４は雌の部材の連結部分５９になっていて、雌のボディ部分６１の前方にある。穴６４は前部６６と後部６８を有している。前部６６は、雌のボディ部分６１に向かって後方に先細になっていて、軸Ｃに対して角度α２の傾斜になっている切頭円錐面７０から成っている。角度α２は２．５°から３．５°の範囲である。本発明に基づくと、角度α２は３°が好ましい。後部６８はねじ７２を有する。ねじ７２は台形断面で、エッジが丸くなっていて、雄の部材のねじ４６と係合する。ねじ７２は、めすの連結部分５９の前部６６に隣接した前端部分６３で、また、雌のボディ部分６１に隣接した後端部分６５で終わっている。ねじ７２は前端部分６３と後端部分６５の間で均一深さの中間部分６７を有している。ねじ７２は、雄の部材のねじ４６のリード角と同じリード角αを有している。図６および７に良く示されているように、ねじ７２の前端部分６３は、ねじの均一深さと等しい高さからゼロの高さまで徐々に減少していく高さの変化を有するねじ山７４である。ねじ７２の後端部分６５はねじの均一深さに等しい深さからゼロの深さまで徐々に減少していく深さの変化を有するねじの谷底７６である。
【００４４】
工具の継ぎ手を組立てるために、雄の部材２２を雌の部材２４内に取付けて、それに対して回転し、雄ねじ４６を雌ねじ７２に係合する。切頭円錐面４０が切頭円錐面７０に最初に接触するまで、雄ねじ４６と雌ねじ７２が自由に回転する。この位置で、後ろ向きの環状ショルダー面３２が合わせ面６２から距離Ｌだけ離れている（図８参照）。典型的に、長さＬは０．１ｍｍから０．６ｍｍの範囲である。本発明の好ましい実施例に基づくと、長さＬは０．３ｍｍである。
【００４５】
本発明の一実施例に基づくと、切頭円錐面４０の傾斜角α１は切頭円錐面７０の傾斜角α２と等しい。それゆえ、両方の切頭円錐面４０および７０がお互いに完全接触する。本発明の別の実施例に基づくと、切頭円錐面４０の傾斜角α１は、切頭円錐面７０の傾斜角α２より０．２５°だけ大きい。この実施例に基づくと、両方の切頭円錐面４０と７０の間での最初の接触がその前部で行われ、それによりショルダー面３２と合わせ面６２の近くで、雄の部材２２と雌の部材２４の間の前方結合部での工具の継ぎ手の剛性を高めるようになっている。
【００４６】
切頭円錐面間での最初の接触後に、距離Ｌが減少してゼロになるまで、そして、雄の部材の環状ショルダー３２が雌の部材の合わせ面６２に接するまで、雄の部材２２を雌の部材２４に寄せるように強力に締め付ける。両方の面３２および６２を接触させることにより、雄の部材の切頭円錐面４０が、雌の部材の切頭円錐面７０に半径方向外向きの小さい変形を生じる。この変形は切頭円錐面７０の領域で、雌の部材の壁を相対的に薄くすることによって可能になっている。
【００４７】
雄の部材が雌の部材と完全に係合するとき、軸Ａ、Ｂ、Ｃが重なる。雄の連結部分のねじの前端部分４１と雌の連結部分のねじの前端部分６３が、それらの間で、第一の角度θ２の隙間９４になる。さらに、雄の連結部分のねじの後端部分４３と雌の連結部分のねじの後端部分６５が、それらの間で、第二の角度θ３の隙間９５になる。ねじの設計で、角度θ２と角度θ３の両方が９０°未満になるようにして、相対的に弱い断面を生じないで、強力かつ剛性のある係合になるようにする。典型的に、第一と第二の角度は２０°から９０°の範囲である。好ましくは、第一と第二の角度は７０°である。
【００４８】
面３２と６２の間の接触により、雄と雌の部材の間の接触領域の周辺で剛性が得られる。切頭円錐面４０および７０の間の接触により、雄と雌の部材の間の同心性を高める。さらに、接触部が切削作業中に雌の部材が雄の部材に加えるトルクのかなりの部分を受ける。雄の部材と雌の部材のねじ間で完全な係合になる特別の設計が、相対的に弱い断面を無くし、工具の継ぎ手全体の強度を高めている。
【００４９】
本発明に基づく工具の継ぎ手は６ｍｍから２０ｍｍの範囲の切削ヘッド径を有する切削工具に用いられる。希望の場合、切削工具の剛性を高めるために、雌の部材のボディ部分の円周側面を軸Ｃに対して鋭角βで前方に先細にする。角度βは典型的に０°から５°の範囲である。例えば、希望する場合、深いポケットの壁面を切削するために、雌の部材の円周側面５８は雄の部材のボディ部分の円周部直径より小さな直径にする。それにより、切削深さが保持シャンクにより制限されない。
【００５０】
上記の切削工具アセンブリーの工具の継ぎ手は切削ヘッドと保持シャンクに限定されないことは認識されている。例えば、工具の継ぎ手は雄と雌の部材を構成する２個のはめ合い部品の延長として使用しうる。
本発明はある程度特定して示しているが、請求項のように本発明の精神ないし範囲から逸脱せずに種々の変更と修正を行えることを理解すべきである。
【図面の簡単な説明】
【図１】  従来技術の連結機構の雄の部材の側面図を示す。
【図２】  本発明に基づく工具の継ぎ手を用いた切削工具の透視図である。
【図３】  図２の切削工具の分解図である。
【図４】  ねじの前端部分を示す図３の雄の部材の透視図である。
【図５】  ねじの後端部分を示す図３の雄の部材の透視図である。
【図６】  ねじの前端部分を示す図３の雌の部材の部分透視図である。
【図７】  ねじの後端部分を示す図３の雌の部材の部分透視図である。
【図８】  雄の連結部分のねじ無し前部が雌の連結部分のねじ無し前部と最初に接触したときの雄の部材と雌の部材を、軸Ａを通る平面で切断した断面図である。
【図９】  軸Ａを通る平面で切断した図２の工具の継ぎ手の断面図である。
【図１０】  従来技術に基づくねじ付きの雄の部材の部分的側面図である。
【図１１】  本発明に基づくねじ付きの雄の部材の部分的側面図である。
【図１２】  図３に示す雄の部材の背面図である。
【図１３】  図３に示す雌の部材の前面図である。
【図１４】  図９の平面ＸＩＶ−ＸＩＶで切断した雌の部材と係合した雄の部材の断面図である。
【図１５】  図９の平面ＸＶ−ＸＶで切断した雌の部材と係合した雄の部材の断面図である。
【図１】
0004117131.tif 000002
【図２】
0004117131.tif 000003
【図３】
0004117131.tif 000004
【図４】
0004117131.tif 000005
【図５】
0004117131.tif 000006
【図６】
0004117131.tif 000007
【図７】
0004117131.tif 000008
【図８】
0004117131.tif 000009
【図９】
0004117131.tif 000010
【図１０】
0004117131.tif 000011
【図１１】
0004117131.tif 000012
【図１２】
0004117131.tif 000013
【図１３】
0004117131.tif 000014
【図１４】
0004117131.tif 000015
【図１５】
0004117131.tif 000016